(57)【特許請求の範囲】
【請求項１】
複数の無線回線を使用して無線通信を行なう無線局と、
移動体に装備される移動体通信装置であって前記複数の無線回線により前記無線局と通信を行なう移動体通信装置と通信可能に接続するとともに前記複数の無線回線のうち測定対象となる測定対象回線の品質を測定する検測装置と
を備えた検測システムにおいて、
前記無線局は、
前記測定対象回線の使用状態を示す報知情報を作成する局側報知情報作成部と、
前記局側報知情報作成部が作成した前記報知情報を送信する局側通信部と、
前記検測装置による前記測定対象回線の品質の測定に対応する動作状態を示す検測モードを開始する局側検測モード制御部と
を備え、
前記検測装置は、
前記移動体通信装置を介して前記報知情報を受信する検測側報知情報受信部と、
前記検測側報知情報受信部が受信した前記報知情報の示す前記測定対象回線の使用状態に基づいて前記測定対象回線の品質の測定を開始するとともに測定の開始を示す開始信号を前記移動体通信装置を介して前記無線局に送信する検測側品質測定部とを備え、
前記無線局の前記局側通信部は、
前記検測装置の検測側品質測定部が送信した前記開始信号を受信し、
前記無線局の前記局側検測モード制御部は、
前記局側通信部が前記開始信号を受信した場合に、受信した前記開始信号に応答して前記検測モードを開始することを特徴とする検測システム。
【請求項２】
前記検測装置の前記検測側品質測定部は、
前記測定対象回線の品質の測定を開始した場合に、測定中であることを示す測定中信号を前記移動体通信装置を介して所定の間隔で前記無線局に送信し、
前記無線局の前記局側通信部は、
前記測定中信号を受信し、
前記無線局は、さらに、
前記局側通信部により受信する前記測定中信号の受信状態を監視し、前記局側通信部により前記測定中信号が受信できているかどうかを判定する局側監視部を備え、
前記無線局の前記局側検測モード制御部は、
前記検測モード中に前記局側監視部が前記局側通信部により前記測定中信号の受信ができていないと判定した場合に、前記検測モードを解除することを特徴とする請求項１記載の検測システム。
【請求項３】
前記検測装置の前記検測側品質測定部は、
前記測定対象回線の品質の測定中に前記検測側報知情報受信部が前記測定対象回線の使用状態が空きであることを示す報知情報を前記移動体通信装置を介して受信した場合に、前記測定対象回線の品質の測定を新たに開始することを特徴とする請求項１記載の検測システム。
【請求項４】
無線回線の品質を測定する検測装置において、
品質を測定する測定対象となる無線回線である測定対象回線の使用状態を示す報知情報を受信する検測側報知情報受信部と、
前記検測側報知情報受信部が受信した前記報知情報の示す前記測定対象回線の使用状態に基づいて、前記測定対象回線の品質の測定を開始する検測側品質測定部と
を備えたことを特徴とする検測装置。
【請求項５】
前記検測側品質測定部は、
前記測定対象回線の品質の測定中に前記検測側報知情報受信部が前記測定対象回線の使用状態が空きであることを示す報知情報を受信した場合に、前記測定対象回線の品質の測定を新たに開始することを特徴とする請求項４記載の検測装置。
【請求項６】
自局の使用する複数の無線回線のうち測定対象となる測定対象回線の品質を測定される無線局において、
前記測定対象回線の使用状態を示す報知情報を作成する局側報知情報作成部と、
前記局側報知情報作成部が作成した前記報知情報を送信するとともに、前記報知情報を受信した前記測定対象回線の品質を測定する検測装置から前記検測装置が前記報知情報の示す前記測定対象回線の使用状態に基づき生成した前記測定対象回線の品質の測定開始を示す開始信号を受信する局側通信部と、
前記局側通信部が受信した前記開始信号に応答して、前記検測装置による前記測定対象回線の品質の測定に対応する動作状態を示す検測モードを開始する局側検測モード制御部と
を備えたことを特徴とする無線局。
【請求項７】
前記検測装置は、
前記測定対象回線の品質の測定を開始した場合に、測定中であることを示す測定中信号を所定の間隔で送信し、
前記局側通信部は、
前記測定中信号を受信し、
前記無線局は、さらに、
前記局側通信部により受信する前記測定中信号の受信状態を監視し、前記局側通信部により前記測定中信号が受信できているかどうかを判定する局側監視部を備え、
前記局側検測モード制御部は、
前記検測モード中に前記局側監視部が前記局側通信部により前記測定中信号の受信ができていないと判定した場合に、前記検測モードを解除することを特徴とする請求項６記載の無線局。
【発明の詳細な説明】
【技術分野】
【０００１】
この発明は、中央装置と有線接続された複数の基地局により構成するゾーンを複数有する無線システムにおいて、複数ゾーン間を移動するとともに、基地局と無線方式によって交信を行う検測用移動局と、検測用移動局と有線接続された検測装置とを使用した無線システムの無線回線品質を測定する検測システムに関するものである。
【背景技術】
【０００２】
従来の検測システムでは、検測装置を搭載した移動体（例えば列車）がゾーン間をまたいで検測を行う場合、ゾーンを渡る手前で手動により中央装置に検測モードの解除を通達して検測を中断し、ゾーンを渡った後に手動により中央装置に検測モードの開始を通達して検測を再開していた。
【０００３】
このように、中央装置は検測装置から手動により検測モードの開始または解除を指示されて、検測モードの開始又は解除を行っていた。検測に関する文献として特許文献１がある。
【特許文献１】特開２００４−４８４８２号公報
【発明の開示】
【発明が解決しようとする課題】
【０００４】
従来のシステムは以上のように構成されているため、検測装置を搭載した移動体（例えば列車）が中央装置の検測モードを解除せずにゾーンを渡った場合、中央装置は列車がゾーンを渡ったことを判断できず、検測モードが解除できなくなるなどの問題があった。
【０００５】
この発明は上記のような問題点を解消するためになされたもので、検測装置を搭載した移動体（例えば列車）がゾーン間をまたいで検測を行う場合でも、中央装置の検測モードを自動的に解除することを目的とする。また、手動により検測を中断することなく検測を自動再開するとともに、自動で中央装置に対して検測モードの開始を要求することが可能な検測システムの提供を目的とする。
【課題を解決するための手段】
【０００６】
本発明の検測システムは、
複数の無線回線を使用して無線通信を行なう無線局と、
移動体に装備される移動体通信装置であって前記複数の無線回線により前記無線局と通信を行なう移動体通信装置と通信可能に接続するとともに前記複数の無線回線のうち測定対象となる測定対象回線の品質を測定する検測装置と
を備えた検測システムにおいて、
前記無線局は、
前記測定対象回線の使用状態を示す報知情報を作成する局側報知情報作成部と、
前記局側報知情報作成部が作成した前記報知情報を送信する局側通信部と、
前記検測装置による前記測定対象回線の品質の測定に対応する動作状態を示す検測モードを開始する局側検測モード制御部と
を備え、
前記検測装置は、
前記移動体通信装置を介して前記報知情報を受信する検測側報知情報受信部と、
前記検測側報知情報受信部が受信した前記報知情報の示す前記測定対象回線の使用状態に基づいて前記測定対象回線の品質の測定を開始するとともに測定の開始を示す開始信号を前記移動体通信装置を介して前記無線局に送信する検測側品質測定部とを備え、
前記無線局の前記局側通信部は、
前記検測装置の検測側品質測定部が送信した前記開始信号を受信し、
前記無線局の前記局側検測モード制御部は、
前記局側通信部が前記開始信号を受信した場合に、受信した前記開始信号に応答して前記検測モードを開始することを特徴とする。
【発明の効果】
【０００７】
本発明により、検測装置、及び無線局は自動的に検測を開始することができる。
【発明を実施するための最良の形態】
【０００８】
実施の形態１．
図１は、この発明の実施の形態１による検測システム１０００の構成を示す構成図である。図において、検測システム１０００は、列車５（移動体の一例）、無線局１００ａ、無線局１００ｂを備える。無線局１００ａと無線局１００ｂとの構成、動作は同じである。なお無線局１００ｂの構成要素の説明をする場合は、符号「ｂ」を付す。
【０００９】
列車５は、検測用移動局３（移動体通信装置）と、検測装置４とを備える。検測装置４は、検測側報知情報受信部４１と検測側品質測定部４２とを備える。検測用移動局３と検測装置４とは伝送路９により有線接続されている。伝送路９は、「下り電波６ａ、６ｂ」により伝送される「報知情報」の内容が「空き」、「使用中」、「検測中」のいずれかであることを検測用移動局３から検測装置４に伝送するための伝送路である。検測装置４は、検測用移動局３を介して、中央装置１ａ、１ｂに検測モードの開始指示を行うための「検測要求」や、検測モードの解除指示を行うための「検測解除要求」を伝送する「上り電波７」を基地局２ａ、２ｂに送信する。
【００１０】
無線局１００ａは、中央装置１ａと２つの基地局２ａ（局側通信部の一例）とを備える。中央装置１ａは、局側報知情報作成部１０１ａ、局側検測モード制御部１０２ａ、局側監視部１０３ａを備える。基地局２ａは、後述する「報知情報」を伝送する「下り電波６ａ」を、検測用移動局３に向けて送信する。中央装置１ａと各基地局２ａは伝送路８ａにより有線接続されている。
【００１１】
図２は、図１に示した中央装置１ａの外観の一例を示す図である。図２の中央装置１ａは、ＣＰＵ（Ｃｅｎｔｒａｌ  Ｐｒｏｃｅｓｓｉｎｇ  Ｕｎｉｔ）、入出力部、記憶部を備えるコンピュータである。図２において、中央装置１ａは、システムユニット７００、液晶ディスプレイ６１０、キーボード（Ｋ／Ｂ）６１１、マウス６１２、コンパクトディスク装置（ＣＤＤ）７５０、プリンタ７６０を備え、これらはケーブルで接続されている。また、中央装置１ａは各基地局２ａに有線接続されている。
【００１２】
図３は、図２の中央装置１ａのハードウェア構成図である。図３において、中央装置１ａは、プログラムを実行するＣＰＵ７１０を備えている。ＣＰＵ７１０は、バス７１１を介してＲＯＭ７３１、ＲＡＭ７３２、液晶ディスプレイ６１０、Ｋ／Ｂ６１１、マウス６１２、通信ボード７３３、ＦＤＤ（Ｆｌｅｘｉｂｌｅ  Ｄｉｓｋ  Ｄｒｉｖｅ）７４０、ＣＤＤ７５０、プリンタ７６０、及び磁気ディスク装置７２０と接続されている。図３において上記通信ボード７３３を介して各基地局２ａと有線接続されている。
【００１３】
磁気ディスク装置７２０には、オペレーティングシステム（ＯＳ）７２１、ウィンドウシステム７２２、プログラム群７２３、ファイル群７２４が記憶されている。プログラム群７２３は、ＣＰＵ７１０、ＯＳ７２１、ウィンドウシステム７２２により実行される。図３において、キーボード６１１、ＦＤＤ７４０、ＣＤＤ７５０等は入力部である。液晶ディスプレイ６１０、プリンタ７６０、ＦＤＤ７４０、ＣＤＤ７５０等は出力部である。磁気ディスク装置７２０、ＲＯＭ７３１、ＲＡＭ７３２等は記憶部である。
【００１４】
上記プログラム群７２３には、以下に述べる実施の形態の中央装置１ａにおいて「局側報知情報作成部」、「局側検測モード制御部」、「局側監視部」等として説明する機能を実行するプログラムが記憶されている。プログラムは、ＣＰＵ７１０により読み出され実行される。
【００１５】
また、以下に述べる実施の形態の説明において「局側報知情報作成部」、「局側検測モード制御部」、「局側監視部」等として説明するものは、ＲＯＭ７３１に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００１６】
また、実施の形態１における検測装置４も図２、図３に示す中央装置１ａと同様のコンピュータである（図示はしていない）。検測装置４の場合も中央装置１ａと同様に、プログラム群７２３には、以下に述べる実施の形態の検測装置４において「検測側品質測定部」、「検測側報知情報受信部」等として説明する機能を実行するプログラムが記憶されている。また、中央装置１ａの場合は通信ボード７３３を介して基地局２ａと接続しているのに対して、検測装置４は通信ボード７３３を介して検測用移動局３と接続している。
【００１７】
次に、「報知情報」について説明する。中央装置１ａは、「報知情報」を常時送信している。本検測システム１０００は、１つのゾーン（例えばゾーンＡ）に複数在線する列車（検測用移動局）が、有限の「通話及びデータ回線（例えば１回線）」を共用して中央装置の「指令卓」と通話またはデータ伝送を行うことを想定している。検測装置４は、この「通話及びデータ回線」の回線品質を測定する。測定対象になる「通話及びデータ回線」を以下、測定対象回線という場合がある。「通話及びデータ回線」の使用状態は、「通話及びデータ回線」と別の回線を使用して「報知情報（空き、使用中、検測中のいずれかを示す）」により、全ての列車（検測用移動局）に同報されている。このように、中央装置と列車の検測用移動局とは、「測定対象回線」、及び報知情報を伝送する回線との少なくとも２つの無線回線（複数の無線回線）を使用して通信を行う。ここで「報知情報」とは、中央装置との通信に使用する「測定対象回線」の使用状態を示す情報である。「報知情報」は３つの状態がある。「空き」、「使用中」、「検測中」である。「空き」とは、「測定対象回線」が使用されておらず、使用可能な状態を示す。「使用中」とは、「測定対象回線」が通話またはデータ伝送に使用されている状態を示す。また、「検測中」とは「測定対象回線」が検測のため、検測装置４に使用されている状態を示す。３つの状態のうち「報知情報」が「空き」の場合のみ、列車は、指令卓と通話でき、あるいは検測装置４は品質を検測できる。「報知情報」の内容が「検測中」又は「使用中」の場合は、検測装置４は検測を開始することはできない。検測システム１０００は、この通話またはデータ伝送を行なう無線回線（測定対象回線）の品質を確認するために、「通話及びデータ回線」を使用して通信する。
【００１８】
次に、図４を参照して検測の開始を説明する。図４は、検測システム１０００における検測の開始動作を説明するシーケンス図である。図において基地局は中央装置からのデータを電波に変換して検測用移動局に送信し、また検測用移動局からの電波を受信して中央装置にデータを渡す機能のため、中央装置に含めて「中央／基地局」と表現している。
【００１９】
図１において、ゾーンＡに在線する列車５に装備された検測装置４が、検測を開始する場合を説明する。
【００２０】
（１）検測用移動局３は、「下り電波６ａ」を受信する。この「下り電波６ａ」は、中央装置１ａから伝送路８ａを経由され基地局２ａが送信する。この「下り電波６ａ」は、中央装置１ａの局側報知情報作成部１０１ａが作成した「報知情報」を含む（Ｓ１）。
（２）検測用移動局３は、「下り電波６ａ」にて伝送された「報知情報」を、伝送路９を経由して検測装置４に伝送する（Ｓ２）。検測装置４の検測側報知情報受信部４１は、この報知情報を受信する。「報知情報」を受信した検測装置４は、検測側品質測定部４２により「報知情報」の内容が「空き」、「使用中」、「検測中」のいずれになっているのかを確認する。
（３）検測装置４の検測側品質測定部４２が「報知情報」の内容を「空き」と確認した場合、検測側品質測定部４２は、測定対象回線の測定の開始動作を起動する。すなわち、中央装置１ａに対して検測モードの開始を求めるため、検測モードの開始を指示する最初の「検測要求」（開始信号の一例）を作成する。ここで「最初の」とは、後述のように測定を開始した以降は、測定中に検測要求は断続的に送信されるからである。また「検測モード」とは、検測装置４による測定対象回線の品質の測定に対応する中央装置１ａの動作状態を意味する。検測側品質測定部４２は、作成した「検測要求」を伝送する「上り電波７」を検測用移動局３に送信させる（Ｓ３、Ｓ４）。このように検測装置４は、「空き」の「報知情報」を受信した場合、検測を要求することが一つの特徴である。
（４）検測用移動局３が送信した「検測要求」を伝送する「上り電波７」は、基地局２ａにて受信され、伝送路８ａを経由して中央装置１ａに伝送される。これにより「最初の検測要求」が中央装置１ａに伝送される。中央装置１ａの局側検測モード制御部１０２ａは、受信した「最初の検測要求」に応答して、検測モードを開始する。
（５）中央装置１ａの局側報知情報作成部１０１ａは、局側検測モード制御部１０２ａによる検測モードの開始に伴い、「報知情報」を「空き」から「検測中」に変更し、伝送路８ａを経由して基地局２ａから「報知情報」の内容が「検測中」になった「下り電波６ａ」を送信する（Ｓ５）。
（６）「報知情報」の内容が「検測中」になった「下り電波６ａ」は、検測用移動局３にて受信され、伝送路９を経由して検測装置４の検測側報知情報受信部４１に受信される。そして「報知情報」の内容が「検測中」になったことが、検測側品質測定部４２に伝送される（Ｓ６）。そして、検測装置４の検測側品質測定部４２は検測を開始する。図４の破線で囲むステップが検測中の動作を示している。以上が図４のＳ１〜Ｓ６の過程である。
【００２１】
次に、列車５（検測装置４）がゾーンＡからゾーンＢに移動した場合、すなわちゾーン渡りした場合における、中央装置１ａの検測モードの自動解除、及びゾーンＢに移動した検測装置４の検測モードの自動開始について説明する。
（１）検測装置４の検測側品質測定部４２は、所定の時間間隔（均等な時間間隔、あるいは不均等な時間間隔）で断続的に、検測用移動局３を介して、２回目以降の「検測要求」（測定中信号の一例）を伝送する「上り電波７」を送信させる。基地局２ａがこの「上り電波７」を受信し、伝送路８ａを経由し、中央装置１ａに２回目以降の「検測要求」を伝送する。
（２）中央装置１ａの局側監視部１０３ａは、断続的に伝送される２回目以降の「検測要求」を基地局２ａが受信できているかどうかを監視し、基地局２ａが２回目以降の「検測要求」を受信できているかどうかを判定する。局側監視部１０３ａが「基地局２ａは２回目以降の検測要求を受信できている」と判定した場合、局側検測モード制御部１０２ａは検測モードを継続する。一方、列車５がゾーンＡからゾーンＢに移動した場合、検測装置４が断続的に送信する「検測要求」は、中央装置１ａに届かなくなる。この場合、局側監視部１０３ａは「基地局２ａは２回目以降の検測要求を受信できていない」と判定する。局側監視部１０３ａが「基地局２ａは２回目以降の検測要求を受信できていない」と判定した場合、局側検測モード制御部１０２ａは検測モードを解除する。このように、検測モード中、一定時間経過しても中央装置１ａに２回目以降の「検測要求」が伝送されなかった場合、中央装置１ａの局側監視部１０３ａは、検測装置４がゾーンＡから他のゾーン（例えばゾーンＢ）に移動したと判断する。この判断に伴い、局側検測モード制御部１０２ａは、検測モードを解除する。検測モードが解除された場合、局側報知情報作成部１０１ａは、「報知情報」の内容を「検測中」から「空き」に変更し、伝送路８ａを経由して基地局２ａから「空き」の報知情報を伝送する「下り電波６ａ」を送信させる。この動作により中央装置１ａは、自動的に検測モードを解除することができる。
（３）検測装置４がゾーンＢに移動し、検測側報知情報受信部４１が検測用移動局３を介して「空き」の「報知情報」を中央装置１ｂから受信した場合に、図４のＳ３以降のステップ同様、検測装置４の検測側品質測定部４２は、中央装置１ｂに検測を要求し、以下、検測が開始される。これにより、自動的に検測モードを開始することが可能となる。これについては図６の説明で詳しく述べる。
【００２２】
次に図５を参照して、検測装置４がゾーンＡ内で検測を開始するとともに検測を終了する場合を説明する。図５は、実施の形態１における検測システムの検測終了時の動作を示す。図において基地局は中央装置からのデータを電波に変換して移動局に送信し、また移動局からの電波を受信して中央装置にデータを渡すだけの機能のため、中央装置に含めて「中央／基地局」と表現した。
（１）図５の破線で囲む部分は、図４の破線で囲む部分と同様に検測中のステップを示している。Ｓ２７以降から説明する。ゾーンＡに在線する列車５内の検測装置４が検測を終了する場合、検測装置４の検測側品質測定部４２は、中央装置１ａに対して検測モードの解除を伝送するため、検測用移動局３から検測モードの解除指示を行うための「検測解除要求」を伝送する「上り電波７」を送信させる（Ｓ２６，Ｓ２７）。
（２）「検測解除要求」を伝送する「上り電波７」は基地局２ａにて受信され、伝送路８ａを経由して中央装置１ａに「検測解除要求」が伝送される。中央装置１ａの局側検測モード制御部１０２ａは、検測モードを解除する。そして、中央装置１ａの局側検測モード制御部１０２ａは、検測終了の応答を基地局２ａを介して送信する（Ｓ２８，Ｓ２９）。
（３）中央装置１ａの局側報知情報作成部１０１ａは「報知情報」を「検測中」から「空き」に変更し、伝送路８ａを経由して基地局２ａにて「報知情報」の内容が「空き」になった「下り電波６ａ」を送信する（Ｓ３０，Ｓ３１）。
（４）「報知情報」の内容が「空き」になった「下り電波６ａ」は検測用移動局３にて受信され、伝送路９を経由して検測装置４の検測側報知情報受信部４１に伝送され、これを受けて、検測側品質測定部４２は、検測（測定）を終了する（Ｓ３１）。
（５）以上、図３のＳ２６〜Ｓ３１で説明したように、ゾーンをまたがず検測を行なう場合、検測装置４が最初の「検測要求」を送信して検測が開始され、「検測解除要求」を送信して検測を終了する。一方、ゾーンをまたいで検測を行なう場合、列車が抜けてしまったゾーンの中央装置１ａは、「検測解除要求」を送信する列車がいなくなったので、「検測解除要求」を受信することができない。このため、上記のように、中央装置１ａでは局側監視部１０３ａが２回目以降の「検測要求」を監視している。監視の結果、局側監視部１０３ａが２回目以降の「検測要求」が受信できなくなったと判定した場合に、局側検測モード制御部１０２ａが検測モードを終了する。ゾーンＢにおいて検測を開始又は終了する場合も同様の動作である。
【００２３】
次に、図６を参照して、ゾーンＡに在線する列車５内の検測装置４が、検測を行いながらゾーンＢに移動する場合について説明する。図６は、実施の形態１における検測システム１０００のゾーン渡り時の動作を示す。図において基地局は中央装置からのデータを電波に変換して移動局に送信し、また移動局からの電波を受信して中央装置にデータを渡すだけの機能のため、中央装置に含めて「中央／基地局」と表現した。
【００２４】
（１）図６において、Ｓ４１〜Ｓ４５の破線で囲む部分は、図４の破線で囲む部分と同様に検測中のステップを示している。ゾーンＡにおいては、検測用移動局３は、中央装置１ａから伝送路８ａを経由して基地局２ａが送信する「下り電波６ａ」を受信する。そして、検測用移動局３から伝送路９を経由して検測装置４に「下り電波６ａ」が伝送される。検測装置４は検測中（図６の破線で囲む部分に対応）であるので、検測装置４に伝送される「下り電波６ａ」の含む「報知情報」の内容は、「検測中」である。
（２）検測装置４がゾーンＢに移動した場合（Ｓ４６以降）を説明する。列車５内の検測装置４がゾーンＡからゾーンＢに移動する場合を考える。検測装置４は、中央装置１ｂから伝送路８ｂを経由して基地局２ｂが送信する「下り電波６ｂ」（報知情報）を、検測用移動局３を介して検測側報知情報受信部４１により受信する。図６の場合、Ｓ４６において無線局１００ｂ（中央装置１ｂ、基地局２ｂ）と移動局５’とが音声通信により測定対象回線を使用中である。よって、無線局１００ｂ（中央装置１ｂ、基地局２ｂ）が送信する「報知情報」の示す回線の使用状態は「使用中」である（Ｓ４７、Ｓ４８）。Ｓ４９で、この音声通信が終了し、「報知情報」が「空き」となる。検測装置４の検測側品質測定部４２による測定対象回線の品質測定中に「空き」を示す「報知情報」が「伝送路９」を経由して検測側報知情報受信部４１により新たに受信された場合（Ｓ５０、Ｓ５１）、図４のＳ３以降の動作同様、検測側品質測定部４２は測定動作を新たに起動し、検測モードの開始指示を行う最初の「検測要求」（開始信号）を伝送する「上り電波７」を検測用移動局３から送信させる（Ｓ５２、Ｓ５３）。検測要求を伝送する「上り電波７」は基地局２ｂにて受信され、伝送路８ｂを経由して中央装置１ｂに伝送される。これにより、検測要求が中央装置１ｂに伝送され、中央装置１ｂの局側検測モード制御部１０２ｂは、検測モードを開始する。
（３）また、中央装置１ｂでは局側報知情報作成部１０１ｂが「報知情報」を「空き」から「検測中」に変更する。「検測中」に変更された「報知情報」は、伝送路８ｂを経由して基地局２ｂから「下り電波６ｂ」として送信される。
（４）検測中となった「報知情報」を伝送する「下り電波６ｂ」は、検測用移動局３にて受信され、伝送路９を経由して検測装置４の検測側報知情報受信部４１に「報知情報」の内容が「検測中」になったことが伝送され、検測装置４の検測側品質測定部４２が検測（測定）を開始する。
（５）その後、検測装置４の検測側品質測定部４２は、２回目以降の「検測要求」を伝送する「上り電波７」を検測用移動局３から断続的に送信させる。
（６）基地局２ｂは、「検測要求」を伝送する「上り電波７」を受信し、伝送路８ｂを経由して中央装置１ｂに「検測要求」を伝送する。
（７）中央装置１ｂの局側監視部１０３ｂは、断続的に伝送される「検測要求」を例えば一定時間ごとに確認する。この監視の結果、「検測要求」が受信できている場合、局側検測モード制御部１０２ｂは、検測モードを継続させる。
（８）前述のようにゾーンＡでは中央装置１ａに「検測要求」が一定時間経過しても伝送されなくなるため、中央装置１ａの局側監視部１０３ａは検測装置４がゾーンＡからゾーンＢに移動したとして判断し、これに伴い局側検測モード制御部１０２ａが検測モードを解除する。検測モードが解除されると、局側報知情報作成部１０１ａは「報知情報」の内容を「検測中」から「空き」に変更し、伝送路８ａを経由して基地局２ａから「下り電波６ａ」を送信させる。
（９）以上のようにして、検測装置４がゾーンＡからゾーンＢに移動した場合でも検測を自動再開するとともに、中央装置１ａの検測モードを自動的に解除することができる。
【００２５】
図７は、検測システム１０００において、検測装置及び中央装置が検測を開始する場合、解除する場合をまとめた図である。
【００２６】
検測装置が検測を開始するのは次の場合である。
（１）測定中でない場合に「空き」の報知情報を受信した場合に、検測装置は検測（測定）を開始する。
（２）測定中において検測解除要求を送信する前に「空き」の報知情報を受信した場合に、検測装置は新たに検測を開始する。
【００２７】
検測装置が検測を解除するのは次の場合である。
（１）測定中において検測解除要求を送信する前に「空き」の報知情報を受信した場合に、検測装置はそれまでの検測を終了する（それまでの検測を解除し、新たに検測を再開する）。
（２）検測装置は検測が終了した場合に検測を解除する。
【００２８】
中央装置が検測を開始するのは次の場合である。
（１）検測装置から最初の「検測要求」を受信した場合に、中央装置は検測モードを開始する。
【００２９】
中央装置が検測を解除するのは次の場合である。
（１）「検測解除要求」を受信した場合に、中央装置は検測モードを解除する。
（２）検測中に２回目以降の「検測要求」を受信できなくなった場合に、中央装置は検測モードを解除する。
【００３０】
実施の形態１の検測システム１０００は、検測装置４の検測側報知情報受信部４１が「空き」の報知情報を受信した場合、検測側品質測定部４２が検測を開始する。よって検測装置４は自動的に検測を開始することができる。また、中央装置は、基地局を介して最初の検測要求を受信した場合に、局側検測モード制御部が検測モードを開始する。よって中央装置は自動的に検測モードを開始することができる。
【００３１】
実施の形態１の検測システム１０００は、検測装置４の検測側品質測定部４２が検測中に２回目以降の検測要求を断続的に送信する。そして中央装置の局側監視部が２回目以降の検測要求が受信できているかを監視し、受信できていないと判定した場合、局側検測モード制御部が検測モードを解除するので、列車がゾーン渡りした場合にも検測モードを自動的に解除することができる。
【００３２】
実施の形態１の検測システム１０００では、検測側品質測定部４２は、検測中に検測側報知情報受信部４１が空きを示す報知情報を受信した場合に回線品質の測定を再開する。よって、ゾーン渡りした場合にも、回線品質の測定を再開することができる。
【００３３】
実施の形態１の検測装置４は、検測側報知情報受信部４１が「空き」の報知情報を受信した場合、検測側品質測定部４２が検測を開始する。よって検測装置４は自動的に検測を開始することができる。
【００３４】
実施の形態１の検測装置４では、検測側品質測定部４２は、検測中に検測側報知情報受信部４１が空きを示す報知情報を受信した場合に回線品質の測定を再開する。よって、ゾーン渡りした場合にも、回線品質の測定を再開することができる。
【００３５】
実施の形態１の中央装置では、検測装置４から基地局を介して最初の検測要求を受信した場合に、局側検測モード制御部が検測モードを開始する。よって中央装置は自動的に検測モードを開始することができる。
【００３６】
実施の形態１の中央装置は、局側監視部が２回目以降の検測要求が受信できているかを監視し、受信できていないと判定した場合、局側検測モード制御部が検測モードを解除する。よって、列車がゾーン渡りした場合にも検測モードを自動的に解除することができる。
【図面の簡単な説明】
【００３７】
【図１】実施の形態１による検測システム１０００の構成を示す構成図である。
【図２】実施の形態１による中央装置の外観の例を示す図である。
【図３】実施の形態１による中央装置のハードウェア構成の例を示す図である。
【図４】実施の形態１による検測システム１０００の検測開始時の動作を示すフローチャートである。
【図５】実施の形態１による検測システム１０００の検測終了時の動作を示すフローチャートである。
【図６】実施の形態１による検測システム１０００のゾーン渡り時の動作を示すフローチャートである。
【図７】実施の形態１による検測システム１０００の検測装置及び中央装置の検測の開始、終了を示す図である。
【符号の説明】
【００３８】
１ａ，１ｂ  中央装置、２ａ，２ｂ  基地局、３  検測用移動局、４  検測装置、４１  検測側報知情報受信部、４２  検測側品質測定部、５  列車、６ａ，６ｂ  下り電波、７  上り電波、８ａ，８ｂ  伝送路、９  伝送路、１００ａ，１００ｂ  無線局、１０１ａ  局側報知情報作成部、１０２ａ  局側検測モード制御部、１０３ａ  局側監視部、６１１  キーボード、６１２  マウス、６１０  液晶ディスプレイ、７００  システムユニット、７２０  磁気ディスク装置、７２１  ＯＳ、７２２  ウィンドウシステム、７２３  プログラム群、７２４  ファイル群、７３１  ＲＯＭ、７３２  ＲＡＭ、７３３  通信ボード、７４０  ＦＤＤ、７５０  ＣＤＤ、７６０  プリンタ、１０００  検測システム。
【図１】
0004421523.tif 000002
【図２】
0004421523.tif 000003
【図３】
0004421523.tif 000004
【図４】
0004421523.tif 000005
【図５】
0004421523.tif 000006
【図６】
0004421523.tif 000007
【図７】
0004421523.tif 000008